(57)【要約】【課題】所望の通気性を確保できる包装袋を提供することを目的とする。【解決手段】包装袋１は、通気性を有する紙３と、紙３に重ねられたポリプロピレン製の樹脂フィルム５とを有する複合材７を用いてなる。複合材７は、包装袋１の外側に紙３が配され、包装袋１の内側に樹脂フィルム５が配されるようにして用いられている。複合材７は、紙３と、樹脂フィルム５とが接着された接着部分９、及び紙３と樹脂フィルム５とが接着されていない非接着部分１１を有している。非接着部分１１には、樹脂フィルム５を貫通する貫通孔１３が形成されている。貫通孔１３は、樹脂フィルム５を貫通しているが、紙３を貫通していない。【選択図】図２
2018020800.tif 000002
【特許請求の範囲】
【請求項１】
紙と、
前記紙に重ねられた樹脂フィルムと、を有する複合材を用いた包装袋であって、
前記紙と、前記樹脂フィルムとが接着された接着部分、及び
前記紙と、前記樹脂フィルムとが接着されていない非接着部分が存在し、
前記非接着部分に、前記樹脂フィルムを貫通する貫通孔が形成されている包装袋。
【請求項２】
前記非接着部分では、前記紙と前記樹脂フィルムとの間に空隙が存在し、
前記複合材における前記非接着部分が、前記接着部分よりも膨らんで突状になっている請求項１に記載の包装袋。
【請求項３】
外面に、前記紙が露出している請求項１又は２に記載の包装袋。
【請求項４】
前記接着部分と、前記非接着部分の配置が規則的になされている請求項１〜３のいずれか１項に記載の包装袋。
【発明の詳細な説明】
【技術分野】
【０００１】
本発明は、包装袋に関する。
【背景技術】
【０００２】
包装袋には、種々のものが知られている。例えば、パンを入れるための袋が知られている（非特許文献１参照）。ところで、包装袋には、紙と樹脂フィルムを接着した複合素材も用いられる。複合素材の包装袋で、水分を含んだ物品、例えば食品を包装すると、水分が遮断されて外部に逃げず、食品が湿気ってしまう場合があった。
そこで、包装袋に穴を開けて、穴から水分を外部に逃がすことが考えられている。
【先行技術文献】
【非特許文献】
【０００３】
【非特許文献１】パンの包装工場［平成２８年６月２２日検索］、インターネット＜URL：http://www.pansizai.jp/product-list/37＞
【発明の概要】
【発明が解決しようとする課題】
【０００４】
しかしながら、包装袋に穴を開けても水分を適切に逃がすことができない場合があった。
また、食品以外の物品を包装した場合に、包装袋に穴を開けても所望の通気性を確保できない場合があった。
【０００５】
本発明は、上記従来の実情に鑑みてなされたものであって、所望の通気性を確保できる包装袋を提供することを目的とする。
【課題を解決するための手段】
【０００６】
本発明者らは、鋭意研究を重ねた結果、従来の紙と樹脂フィルムを接着した複合素材の包装袋では、穴を開けても両者を接着する接着剤により穴が塞がれる可能性が高いという事実を確認した。本発明は、この知見に基づいてなされたものである。
【０００７】
すなわち、上記問題を解決するために、請求項１に記載の発明は、
紙と、
前記紙に重ねられた樹脂フィルムと、を有する複合材を用いた包装袋であって、
前記紙と、前記樹脂フィルムとが接着された接着部分、及び
前記紙と、前記樹脂フィルムとが接着されていない非接着部分が存在し、
前記非接着部分に、前記樹脂フィルムを貫通する貫通孔が形成されている包装袋である。
【０００８】
請求項２に記載の発明は、
前記非接着部分では、前記紙と前記樹脂フィルムとの間に空隙が存在し、
前記複合材における前記非接着部分が、前記接着部分よりも膨らんで突状になっている請求項１に記載の包装袋である。
【０００９】
請求項３に記載の発明は、
外面に、前記紙が露出している請求項１又は２に記載の包装袋である。
【００１０】
請求項４に記載の発明は、
前記接着部分と、前記非接着部分の配置が規則的になされている請求項１〜３のいずれか１項に記載の包装袋である。
【発明の効果】
【００１１】
本発明の包装袋は、紙と、紙に重ねられた樹脂フィルムと、を有する複合材を用いた包装袋である。紙と樹脂フィルムとが接着された接着部分、及び紙と樹脂フィルムとが接着されていない非接着部分が存在する。非接着部分に、樹脂フィルムを貫通する貫通孔が形成されている。
このように、非接着部分に貫通孔が形成されているから、この貫通孔は接着剤等により塞がれるおそれがない。よって、所望の通気性を確保できる。
【００１２】
非接着部分では、紙と樹脂フィルムとの間に空隙が存在し、複合材における非接着部分が、接着部分よりも膨らんで突状になっている場合には、以下の効果を有する。すなわち、包装袋に凹凸ができるからデザイン性が高くなる。
【００１３】
包装袋の外面に紙が露出している場合には、樹脂フィルムが外面に露出しているよりも、質感が高い。
【００１４】
接着部分と、非接着部分の配置が規則的になされている場合には、接着部分及び非接着部分による凹凸が規則的に表れるので、デザイン性が高くなる。
【図面の簡単な説明】
【００１５】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係る包装袋の使用状態を示す斜視図である。
【図２】複合材の断面図である。
【図３】複合材の製造方法を示す断面図である。
【図４】複合材の製造方法を示す断面図である。
【図５】複合材の製造方法を示す断面図である。
【図６】接着剤の塗布パターンの一例を示す平面図である。
【発明を実施するための形態】
【００１６】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１７】
本実施形態に係る包装袋は、紙と、紙に重ねられた樹脂フィルムと、を有する複合材を用いた包装袋である。そして、紙と、樹脂フィルムとが接着された接着部分、及び紙と、樹脂フィルムとが接着されていない非接着部分が存在している。非接着部分には、樹脂フィルムを貫通する貫通孔が形成されている。
【００１８】
紙としては、植物繊維その他の繊維を膠着させて製造したものであれば特に限定されない。和紙、洋紙のいずれであってもよい。
紙の坪量は特に限定されない。紙の坪量は、好ましくは１０〜１００ｇ／ｍ２であり、さらに好ましくは１０〜３０ｇ／ｍ２である。紙の厚さは特に限定されない。なお、紙は通気性を有していることが好ましい。
【００１９】
樹脂フィルムの材質は、特に限定されない。樹脂フィルムの材質としては、例えば、ポリプロピレン、ポリエチレン、ポリエチレン共重合体、その他のポリオレフィン類、ポリスチレン、ポリエステル類、ポリアミド類、ポリ塩化ビニル、ポリビニルアルコール、ポリ酢酸ビニル、ポリアクリルニトリル、セロハンなどがあげられ、これらの樹脂フィルムは、単体で用いてもかまわないし、共重合体やブレンドして用いても良い。またこれらの材料を含む多層フィルムとして用いてもかまわない。
【００２０】
ポリエチレンには、例えば、高密度ポリエチレン、中密度ポリエチレン、低密度ポリエチレン、直鎖状低密度ポリエチレン、メタロセンポリエチレン等が例示される。またポリエチレン共重合体には、エチレン酢酸ビニル共重合体、エチレンビニルアルコール共重合体、エチレンアクリレート共重合体、エチレンアクリル酸共重合体、アイオノマー、エチレンプロピレン共重合体等が例示される。
【００２１】
ポリエステル類には、ポリエチレンテレフタレート系樹脂、ポリエチレンナフタレート、ポリ乳酸、ポリカーボネートなどエステル結合を有する樹脂が例示される。
ポリアミド類には、６−ナイロン、６．６−ナイロンおよびこれ以外のアミド結合を有する樹脂が例示される。
【００２２】
いずれの樹脂を用いた場合であっても、低分子物質、無機物、フィラー等の添加剤を含有させてもよい。また、樹脂フィルムに種々の加工を施してもよい。例えば、コーティング加工や延伸加工を施してもよい。
また、多層化するためには、共押出し、ドライラミネート、押出しラミネート、コーティングなどの手段を用いてもかまわない。
【００２３】
樹脂フィルムの厚みは、特に限定されない。樹脂フィルムの厚みは、好ましくは、１０〜１００μｍであり、より好ましくは１５〜５０μｍである。
【００２４】
包装袋には、紙と樹脂フィルムとが接着された接着部分、及び紙と樹脂フィルムとが接着されていない非接着部分が存在する。
接着に用いる接着剤は特に限定されない。接着剤としては、例えば、１液型の硬化、若しくは非硬化タイプの接着剤、又は２液型の硬化、若しくは非硬化タイプの接着剤を使用することができる。より具体的には、例えば、ビニル系、（メタ）アクリル系、ポリアミド系、ポリエステル系、ポリエーテル系、ポリウレタン系、エポキシ系、ゴム系などの溶剤型、水性型、又は、エマルジョン型などの任意のドライラミネート用接着剤を使用することができる。
【００２５】
非接着部分に、樹脂フィルムを貫通する貫通孔が形成されている。貫通孔の大きさ、形は、包装袋の用途に応じて適宜選択できる。貫通孔の大きさは、好ましくは、１０〜１０００μｍであり、より好ましくは５０〜５００μｍである。
貫通孔は、樹脂フィルムに形成されていることが必須である。紙には、貫通孔は形成されていないことが好ましい。紙に貫通孔を形成しないことで、包装袋の外部から内部に異物が侵入することを効果的に防止できるからである。しかも、紙に貫通孔を形成していなくても紙自体に通気性があれば、包装袋としては十分な通気性を確保することができる。
【００２６】
接着部分は、非連続的に点在することが好ましい。なお、接着部分の配列は特に限定されない。接着部分の配列は、ランダムであってもよく、格子（複数の縦の線と横の線が交差した状態）の交差部分に規則的に並べてもよい。
【実施例】
【００２７】
以下、図面を参照して実施例により本発明をより具体的に説明する。
＜実施例１＞
（１）包装袋の構成
実施例１の包装袋１は、図１に示すように、物品としてのフランスパンを包む長手のものである。包装袋１は、図２に示すように、通気性を有する紙３と、紙３に重ねられたポリプロピレン製の樹脂フィルム５とを有する複合材７を用いてなる。複合材７は、包装袋１の外側に紙３が配され、包装袋１の内側に樹脂フィルム５が配されるように用いられている。図１に示すように、シート状の複合材７の両側部をヒートシールにて接合して接合部１Ａを形成する。このようにして複合材７を袋状にする。そして、袋状の複合材７を所望の長さで切断し、片方の端部をヒートシールにて接合して閉じ部１Ｂを形成し、包装袋１としている。
【００２８】
図２に示すように、複合材７は、紙３と、樹脂フィルム５とが接着された接着部分９、及び紙３と樹脂フィルム５とが接着されていない非接着部分１１を有する。図中、符号１２は接着剤を示す。接着剤１２は、図６の塗布パターンの一例を示す平面図に示されるように、格子の交差部分に規則的に並べられている。
【００２９】
図２に示すように、非接着部分１１には、樹脂フィルム５を貫通する貫通孔１３が形成されている。貫通孔１３は、樹脂フィルム５を貫通しているが、紙３を貫通していない。
非接着部分１１において、包装袋１の内側（樹脂フィルム５側）に収容された物品の水分等は、貫通孔１３を通して、樹脂フィルム５と紙３との間の空隙１５に導かれる。さらに、水分等は、空隙１５から、通気性のある紙３を透過して外部に排出される。
【００３０】
また、図２に示すように、紙３の外面にインク１７が載り、印刷されている。仮に、紙３にも貫通孔１３が形成されている場合を想定すると、この場合には、貫通孔１３の部分にはインクを載せることはできず、きれいに印刷できないおそれがある。本実施例では、紙３には貫通孔１３が形成されていないので、インク１７をきれいに紙３に載せることができ、印刷の見栄えがよい。
【００３１】
（２）包装袋を構成する複合材の作製
次に包装袋１を構成する複合材７の作製方法の一例について説明する。まず、図３に示すように、樹脂フィルム５に接着剤１２を、例えば図６に示すパターンで塗布する。次に図４に示すように樹脂フィルム５に紙３を重ねる。そして、図５に示すように、樹脂フィルム５側から、樹脂フィルム５を貫通する貫通孔１３を開ける。このようにして複合材７が作製される。なお、複合材７の作製方法は、この方法に限定されず、紙３、樹脂フィルム５の材質等に応じて適宜変更できる。
【００３２】
（３）包装袋の作用効果
本実施例の包装袋１は、紙３と樹脂フィルム５とを有する複合材７から構成されている。そして、包装袋１は、紙３と樹脂フィルム５とが接着された接着部分９、及び紙３と樹脂フィルム５とが接着されていない非接着部分１１を有する。非接着部分１１に、樹脂フィルム５を貫通する貫通孔１３が形成されている。
本実施例の包装袋１では、非接着部分１１に貫通孔１３が形成されているから、この貫通孔１３は接着剤１２により塞がれるおそれがない。よって、通気性を十分に確保することができる。
発明者らが、本願の包装袋の開発に際して、従来の包装袋を鋭意検討したところ、従来の包装袋では、貫通孔は、紙と樹脂フィルムが接着された複合材の接着部分に開けられていたことを見いだした。従って、貫通孔を開けても、接着剤が流動して貫通孔を閉塞気味になり、通気性を十分には確保できていなかったのである。このような知見から、本願に開示の包装袋１の開発に至ったのである。本実施例の包装袋１では、貫通孔１３は、非接着部分１１に形成されているため、接着剤１２により閉塞されるおそれはなくなる。よって、本実施例では、貫通孔１３は、本来の機能（通気性を確保する機能）を発揮することができる。
【００３３】
また、図２に示されるように、非接着部分１１では、紙３と樹脂フィルム５との間に空隙１５が存在し、複合材７における非接着部分１１が、接着部分９よりも膨らんで突状となっている。このようにして、本実施例では、接着部分９と非接着部分１１により、包装袋１に凹凸ができるからデザイン性が高くなる。
【００３４】
また、本実施例では、包装袋１の外面に、紙３が露出しているので、樹脂フィルム５が外面に露出しているよりも、質感が高い。特に、本実施例の包装袋１によって、食品を包装する場合には、高級感を演出して商品価値を向上できる。
【００３５】
また、本実施例の包装袋１では、接着部分９と、非接着部分１１の配置が規則的になされているので、接着部分９と、非接着部分１１による凹凸が規則的に表れ、デザイン性が高くなる。すなわち、本実施例の包装袋１では、接着剤１２は、図６に示されるように、格子の交差部分に規則的に並べられている。よって、接着部分９も規則的に並ぶ。接着部分９の規則的な配置に伴って、非接着部分１１も規則的な配置となる。従って、接着部分９と、非接着部分１１とによる凹凸が規則的に表れ、デザイン性が高くなり、包装する物品の価値を向上させることができる。
また、本実施例の包装袋１では、接着部分９の配置パターンを変更することにより、デザイン性をより高めることできる。
【００３６】
また、本実施例の包装袋１では、紙３の外面には、印刷が施されているが、紙３に貫通孔１３が形成されていないため、インク１７をきれいに紙３に載せることができ、印刷の見栄えがよい。
【００３７】
＜他の実施例＞
尚、本発明においては、上記実施例に限られず、目的、用途に応じて本発明の範囲内で種々変更した実施例とすることができる。
上記実施例では、複合材７の樹脂フィルム５は、ポリプロピレン製としたが、素材は、包装する物品に応じて適宜変更できる。
上記実施例では、包装袋１は、印刷されているものとしたが、無地でもよい。
上記実施例では、包装袋１の外側に紙３が配され、包装袋１の内側に樹脂フィルム５が配されているものを示したが、逆の配置もよい。すなわち、包装袋１の内側に紙３が配され、包装袋１の外側に樹脂フィルム５が配されてもよい。
【００３８】
本発明は上記で詳述した実施形態に限定されず、本発明の請求項に示した範囲で様々な変形または変更が可能である。
【産業上の利用可能性】
【００３９】
包装袋に関する技術として広く利用される。包装される物品としては、特に限定されない。物品としては例えば、食品、産業資材、乾燥剤等を好適に挙げることができる。
【符号の説明】
【００４０】
１…包装袋
１Ａ…接合部
１Ｂ…閉じ部
３…紙
５…樹脂フィルム
７…複合材
９…接着部分
１１…非接着部分
１２…接着剤
１３…貫通孔
１５…空隙
１７…インク
【図１】
2018020800.tif 000003
【図２】
2018020800.tif 000004
【図３】
2018020800.tif 000005
【図４】
2018020800.tif 000006
【図５】
2018020800.tif 000007
【図６】
2018020800.tif 000008